(57)【要約】【課題】簡便な構造により食器バスケットが昇降できるようにした食器洗い機を提供する。【解決手段】食器バスケットは複数の回動部材と上下側ヒンジ軸によりキャビティに前後方に移動可能に装着されたフレームに回動可能に取り付けられる。フレームの両側面には、上向きに延長された延長片が設けられる。各延長片には、回動部材が係止されて前方にそれ以上回動できないようにするストッパーが設けられる。各下側ヒンジ軸の外周面には、食器バスケットがフレームに向かって下降する速度を遅延させるようにするダンパーが設けられる。食器バスケットの両側上部には、取っ手の両端が回動可能に支持されるので、食器バスケットを容易に持ち上げることができる。【選択図】図３
2004255170.tif 000002
【特許請求の範囲】
【請求項１】
キャビティを有するキャビネットと、
前記キャビティ内で前後に移動するフレームと、
食器を支持する食器バスケットと、
下端部が前記フレームに回動可能に装着され、上端部が前記食器バスケットに回動可能に装着されて、前記食器バスケットが前記フレームに対して昇降するようにする複数の回動部材とを含んでなることを特徴とする食器洗い機。
【請求項２】
前記食器洗い機は、前記フレームの所定位置に装着されたストッパーをさらに含み、前記回動部材は前記ストッパーにより停止して前記回動部材が前方に所定距離以上に回動できなくなることを特徴とする請求項１に記載の食器洗い機。
【請求項３】
前記食器洗い機は、下側ヒンジ軸と、下側ヒンジ軸とをさらに含み、前記回動部材は、前記フレームに対して前後方に回動するように、前記上側ヒンジ軸により前記食器洗い機の一側面に装着され、前記下側ヒンジ軸により前記フレームの一側面に装着されることを特徴とする請求項２に記載の食器洗い機。
【請求項４】
前記フレームから延長片が上向きに延長され、前記ストッパーは前記延長片から内側に突出するように前記延長片に設けられることを特徴とする請求項３に記載の食器洗い機。
【請求項５】
前記ストッパーは、前記回動部材がその水平位置から前方に直角以上に回動した位置で停止するように、前記延長片に設けられることを特徴とする請求項４に記載の食器洗い機。
【請求項６】
前記ストッパーは、前記回動部材がその水平位置から前方に１１０°の角度だけ回動した位置で停止するように、前記延長片に設けられることを特徴とする請求項４に記載の食器洗い機。
【請求項７】
前記食器バスケットが下方に徐々に移動するように、前記回動部材を前記フレームに回動可能に装着する前記下側ヒンジ軸の外周面にダンパーが設けられることを特徴とする請求項１に記載の食器洗い機。
【請求項８】
前記食器バスケットの上部に取っ手が設けられ、前記取っ手の両端部は前記食器バスケットの両側面に回動可能に装着されるので、前記食器バスケットが容易に上向きに移動することを特徴とする請求項１に記載の食器洗い機。
【請求項９】
内部に洗浄キャビティを有するキャビネットと、
前記洗浄キャビティの内外側に移動するフレームと、
第１端部が前記フレームに回動可能に装着される回動部材と、
前記回動部材の第２端部に回動可能に装着される食器バスケットとを含んでなることを特徴とする食器洗い機。
【請求項１０】
前記フレームは矩形であることを特徴とする請求項９に記載の食器洗い機。
【請求項１１】
前記フレームは、スライドレールと、前記キャビティに固定された固定レールとを含み、前記スライドレールは前記キャビティに固定されたレールに沿って移動することを特徴とする請求項９に記載の食器洗い機。
【請求項１２】
前記食器洗い機は、前記フレームの先端部及び後端部にローラをさらに含むことを特徴とする請求項９に記載の食器洗い機。
【請求項１３】
前記食器洗い機は、前記フレームの前部に一体的に連結されて延長される延長片をさらに含むことを特徴とする請求項９に記載の食器洗い機。
【請求項１４】
前記食器洗い機は、前記延長片の内側面に突設されたストッパーをさらに含むことを特徴とする請求項１３に記載の食器洗い機。
【請求項１５】
前記食器洗い機は、前記フレームの中間部に一体的に連結されて延長される延長片をさらに含むことを特徴とする請求項９に記載の食器洗い機。
【請求項１６】
前記食器洗い機は、前記延長片の内側面に突設されたストッパーをさらに含むことを特徴とする請求項１５に記載の食器洗い機。
【請求項１７】
前記食器洗い機は、前記フレームと前記回動部材の第１端部に連結される下側ヒンジ軸をさらに含むことを特徴とする請求項９に記載の食器洗い機。
【請求項１８】
前記食器洗い機は、前記下側ヒンジ軸の外側面にダンパーをさらに含むことを特徴とする請求項９に記載の食器洗い機。
【請求項１９】
前記食器洗い機は、前記食器バスケットと前記回動部材の第２端部に連結される上側ヒンジ軸をさらに含むことを特徴とする請求項９に記載の食器洗い機。
【請求項２０】
前記回動部材が後方に回動すると、前記食器バスケットが前記フレームに密着することを特徴とする請求項９に記載の食器洗い機。
【請求項２１】
前記回動部材が前方に回動すると、前記食器バスケットが前記フレームから離隔して移動することを特徴とする請求項９に記載の食器洗い機。
【請求項２２】
前記食器洗い機は、前記食器バスケットの上部に取っ手をさらに含むことを特徴とする請求項９に記載の食器洗い機。
【発明の詳細な説明】
【技術分野】
【０００１】
本発明は食器洗い機に係り、より詳しくは食器バスケットを昇降可能に取り付けて、食器がバスケットに便利に収納できるようにした食器洗い機に関するものである。
【背景技術】
【０００２】
一般の食器洗い機は、前面の開放された箱状に形成され、内部に食器を洗浄するためのキャビティが設けられたキャビネットと、該キャビネットの開放前面を開閉するドアとを含んで外観を形成する。
【０００３】
キャビティには洗浄すべき食器を収容する上側食器バスケットと下側食器バスケットが設けられ、キャビティの下側には、洗浄水を集水する集水容器と、該集水容器に連結された循環ポンプ及び排水ポンプとが設けられる。前記上側及び下側食器バスケットはキャビティに前後方に移動可能に取り付けられているので、食器バスケットが前方に移動した状態で食器が収納できる。
【０００４】
キャビティの内部には、循環ポンプに連結された循環管を介して水を受け、上下側食器バスケットに噴射して食器を洗浄する複数の噴射ノズルが配設され、排水ポンプの排出口には排水管が連結されているので、洗浄の完了後に洗浄水を外部へ排出するができる。
【０００５】
したがって、循環ポンプが作動すると、キャビティの下部と集水容器に収容された水が循環管を介して噴射ノズルに供給され、この噴射ノズルから多方向に水が噴射されることにより、上下側食器バスケットに載せられた食器が洗浄され、洗浄が完了すると、排水ポンプが作動して配水管を介して洗浄水を排出する。
【０００６】
しかし、このように構成された一般の食器洗い機は、下側食器バスケットがキャビネットの下側に配置され、前方に移動された状態で食器を収納する構造であるので、下側食器バスケットに食器を入れるか取り出すためには、仕方なく腰を屈めた状態で作業をしなければならないため、食器収納作業が非常に不便であり、健康にもよくない欠点がある。特に、食器洗い機の構造上、下側食器バスケットには、上側食器バスケットに比べて大きくて重い食器が収納されて洗浄されるため、このような食器を入れるか又は取り出す作業が非常に難しくなる。
【０００７】
一方、このような下側食器バスケットの設置構造による不便さを解消するため、食器バスケットが昇降可能に取り付けられた食器洗い機が開示されている（例えば、特許文献１参照）。
【０００８】
しかし、前記特許文献１に開示された食器洗い機は、モータ、交差支持部、複数のピニオン及びラックなどを備え、モータの駆動により、交差支持部に連結されたピニオンがラックに沿って進退することにより、交差支持部とこの交差支持部に結合された食器バスケットが昇降する複雑な構造になっている。
【０００９】
したがって、前記特許文献１にによる食器洗い機は、食器バスケットを昇降させる構造に製作するため、多くの部品が必要であり、よって設置空間も大きく占める欠点があるものである。
【特許文献１】大韓民国特許公告第１９９４−００１０９９５号公報
【発明の開示】
【発明が解決しようとする課題】
【００１０】
したがって、本発明は前述した従来技術の問題点を解決するためのもので、本発明の目的は、簡便な構造により食器バスケットを昇降させることができる食器洗い機を提供することにある。
【００１１】
本発明のほかの目的は、食器バスケットが上昇した状態で安定に停止した状態を維持するようにして、食器を安定的に収納するようにした食器洗い機を提供することにある。
【００１２】
本発明のさらにほかの目的は、食器バスケットが急速に下降しないようにして、食器に衝撃が加わることを防止する食器洗い機を提供することにある。
【課題を解決するための手段】
【００１３】
前記のような目的を達成するため、本発明は、キャビティを有するキャビネットと、前記キャビティ内で前後に移動するフレームと、食器を支持する食器バスケットと、下端部が前記フレームに回動可能に装着され、上端部が前記食器バスケットに回動可能に装着されて、前記食器バスケットが前記フレームに対して昇降するようにする複数の回動部材とを含んでなる食器洗い機を提供する。
【００１４】
前記食器洗い機は、前記フレームの所定位置に装着されたストッパーをさらに含み、前記回動部材は前記ストッパーにより停止して前記回動部材が前方に所定距離以上に回動できなくなる。
【００１５】
前記食器洗い機は、下側ヒンジ軸と、下側ヒンジ軸とをさらに含み、前記回動部材は、前記フレームに対して前後方に回動するように、前記上側ヒンジ軸により前記食器洗い機の一側面に装着され、前記下側ヒンジ軸により前記フレームの一側面に装着される。
【００１６】
前記フレームから延長片が上向きに延長され、前記ストッパーは前記延長片から内側に突出するように前記延長片に設けられる。
【００１７】
前記ストッパーは、前記回動部材がその水平位置から前方に直角以上に回動した位置で停止するように、前記延長片に設けられる。
【００１８】
前記ストッパーは、前記回動部材がその水平位置から前方に１１０°の角度だけ回動した位置で停止するように、前記延長片に設けられる。
【００１９】
前記食器バスケットが下方に徐々に移動するように、前記回動部材を前記フレームに回動可能に装着する前記下側ヒンジ軸の外周面にダンパーが設けられる。
【００２０】
前記食器バスケットの上部に取っ手が設けられ、前記取っ手の両端部は前記食器バスケットの両側面に回動可能に装着されるので、前記食器バスケットが容易に上向きに移動する。
【発明の効果】
【００２１】
以上のような本発明による食器洗い機は、簡便な構造により下側食器バスケットが昇降できるようにして、使用者が腰を屈めなくても下側食器バスケットに食器を収納する又は取り出すことができる効果があるものである。
【００２２】
また、本発明による食器洗い機は、下側食器バスケットが上昇した状態で安定に停止した状態を維持するようにして、食器の収納作業が安定に行える効果があるものである。
【００２３】
また、本発明による食器洗い機は、下側ヒンジ軸に設けられたダンパーにより食器バスケットが急速に下降しなくなるので、使用者の不注意により食器と下側バスケットが破損することを防止することができる効果があるものである。
【発明を実施するための最良の形態】
【００２４】
以下、添付図面に基づいて本発明の好ましい実施例を詳細に説明する。
【００２５】
図１及び図２は下側食器バスケットが最大に下降した状態と、最大に上昇した状態を示す本発明による食器洗い機の斜視図である。同図に示すように、本発明による食器洗い機は、内部に食器を収容して洗浄するキャビティ２を有し、前面が開放されたキャビネット１と、該キャビネット１の開放前面を開閉するドア３とを含んで外観を形成する。
【００２６】
キャビティ２には、上側食器バスケット４、下側食器バスケット５、及び前記上下側バスケット４、５に向けて洗浄水を噴射する複数の噴射ノズル（図示せず）が設けられ、キャビティ２の下部には、噴射ノズルに線浄水を供給するための循環ポンプ（図示せず）と、線浄水を外部へ排出させるための排水ポンプ（図示せず）とが設けられている。上下側食器バスケット４、５はキャビティ２内で前後方向に移動可能に取り付けられ、食器を収納する。
【００２７】
下側食器バスケット５の下部には、複数の回動部材２２により下側食器バスケット５に連結されたフレーム２０が取り付けられるので、下側食器バスケット５はフレーム２０に昇降可能に支持される。
【００２８】
フレーム２０は略矩形を有し、その両側面にはスライドレール２７が設けられる。このスライドレール２７はキャビティ２の両側面に取り付けられた固定レール２９に沿って前後方向に移動する。フレーム２０の先端部と後端部にはローラ２９が取り付けられているので、ドア３が開放された状態で、ドア３の背面に沿って容易に移動できる。
【００２９】
また、フレーム２０の先端部と中間地点には、フレーム２０の両側面から上向きに一体的に延長された延長片２１が設けられ、各回動部材２２が前後方向に回動することを案内する。
【００３０】
各回動部材２２は、その下端が延長片２１の下部に下側ヒンジ軸２３により回動可能に軸設され、その上端が下側食器バスケット５の側面に上側ヒンジ軸２４により回動可能に軸設される。したがって、各回動部材２２が後方に回動すると、図１に示すように、下側食器バスケット５が下降してフレーム２０に密着し、各回動部材２２が前方に回動すると、図２に示すように、下側食器洗い機５が上昇してフレーム２０から一定高さに離隔して位置する。
【００３１】
各下側ヒンジ軸２３の外周面には、下側食器バスケット５が下降するときにだけ回動部材２２に回動抵抗力を与えて、下側食器バスケット５が急速に下降することを防止するダンパー２５が設けられる。
【００３２】
各延長片２１の内側面には、回動部材２２が一定角度以上に回動することを防止するためのストッパー２６が突設されている。このストッパー２６の位置は、下側食器バスケット５が上昇した状態を維持するように、回動部材２２が９０°〜１２０°の角度で停止するようにする。好ましくは、下側食器バスケット５ができるだけ高くて安定した位置で食器を収納するように、回動部材２２が１１０°の角度で停止するようにする。
【００３３】
また、下側食器バスケット５を容易に昇降させるため、下側食器バスケット５の両側面の上部には、取っ手３０の両端が回動可能に結合される。
【００３４】
以下、図３ないし図５に基づいて本発明による下側食器バスケットの昇降機構により下側食器バスケットが昇降する動作を説明する。
【００３５】
図３は本発明による下側食器バスケットが最大に下降した状態を示す側断面図、図４は本発明による下側食器バスケットが上昇又は下降している状態を示す側断面図、図５は本発明による下側食器バスケットが最大に上昇した状態を示す側断面図である。
【００３６】
図３に示すように、下側食器バスケット５に食器を入れるか又は取り出すため、下側食器バスケット５がドア３の背面に沿って移動した状態で、回動部材２２は延長片２１の下側に水平に位置して、下側食器バスケット５の下部がフレーム２０に密着して、最大に下降した状態を維持する。
【００３７】
この状態で、取っ手３０を握って前方に引くと、図４に示すように、回動部材２２が上方に回動することにより、下側食器バスケット５がフレーム２０から上昇する。この際、下側ヒンジ軸２３に設けられたダンパー２５は下側ヒンジ軸２３に回動抵抗力を発生しないので、回動部材２２が迅速に上方に回動する。
【００３８】
つづいて、取っ手３０を前方に引くと、図５に示すように、下側食器バスケット５が最大に上昇した状態で、回動部材２２がストッパー２６にかかって停止することになる。このように、下側食器バスケット５が上昇した状態で、下側食器バスケット５に食器を入れるか又は取り出す作業が行われるので、使用者が腰を屈めなくても食器を入れるか又は取り出すことができる。
【００３９】
下側食器バスケット５を下降させる動作は前記動作の逆順に行われる。すなわち、下側食器バスケット５を図５の位置から図４の位置に押すと、下側食器バスケット５の自重により図３の位置に下降することになる。この際、各下側ヒンジ軸２３に設けられたダンパー２５が作用して下側ヒンジ軸２３に回動抵抗力を発生させることにより、回動部材２２が急速に下降することを防止する。したがって、下側食器バスケット５と、この下側食器バスケット５に入っている食器に衝撃が加わらなくなる。
【図面の簡単な説明】
【００４０】
【図１】下側食器バスケットが最大に下降した状態を示す本発明による食器洗い機の斜視図である。
【図２】下側食器バスケットが最大に上昇した状態を示す本発明による食器洗い機の斜視図である。
【図３】本発明による下側食器バスケットが最大に下降した状態を示す側断面図である。
【図４】本発明による下側食器バスケットが上昇又は下降している状態を示す側断面図である。
【図５】本発明による下側食器バスケットが最大に上昇した状態を示す側断面図である。
【符号の説明】
【００４１】
４    上側食器バスケット
５    下側食器バスケット
２０    フレーム
２１    延長片
２２    回動部材
２３    下側ヒンジ軸
２４    上側ヒンジ軸
２５    ダンパー
２６    ストッパー
３０    取っ手
【図１】
2004255170.tif 000003
【図２】
2004255170.tif 000004
【図３】
2004255170.tif 000005
【図４】
2004255170.tif 000006
【図５】
2004255170.tif 000007